(57)【要約】【課題】床仕上げ材を剥がすときの床暖房パネルの損傷を抑制しながら低廉化を図ることが可能となる床暖房パネルを提供する。【解決手段】加熱用長尺体２が装備され且つ表面にシート状のパネル形成体用均熱体３Ｐが止着されたパネル形成体４に、複数の小根太５がその小根太５の幅方向に間隔を隔てて並設され、パネル形成体用均熱体３Ｐにおける複数の小根太５の夫々に隣接する複数の小根太隣接部分３Ｐｒに止着される状態で複数の帯状の分離用非接着層１０が備えられ、複数の小根太５の夫々とそれら夫々に隣接する分離用非接着層１０とからなる複数の小根太対応箇所１１の夫々に、小根太５及び分離用非接着層１０を覆う状態で、且つ、パネル形成体用均熱体３Ｐがパネル形成体４に止着される止着力よりも弱い接着力にて分離用非接着層１０に貼着される状態で帯状の接着性シート１２が備えられている。【選択図】図４
2008175491.tif 000002
【特許請求の範囲】
【請求項１】
加熱用長尺体が装備され且つ表面にシート状のパネル形成体用均熱体が止着されたパネル形成体と小根太とが並設されている床暖房パネルであって、
前記パネル形成体用均熱体における前記小根太に隣接する小根太隣接部分に止着される状態で帯状の分離用非接着層が備えられ、
前記小根太とそれに隣接する前記分離用非接着層とからなる小根太対応箇所に、前記小根太及び前記分離用非接着層を覆う状態で、且つ、前記パネル形成体用均熱体が前記パネル形成体に止着される止着力よりも弱い接着力にて前記分離用非接着層に貼着される状態で帯状の接着性シートが備えられている床暖房パネル。
【請求項２】
加熱用長尺体が装備され且つ表面にシート状のパネル形成体用均熱体が止着されたパネル形成体と小根太とが並設されている床暖房パネルであって、
前記パネル形成体用均熱体における前記小根太に隣接する小根太隣接部分に止着される状態で帯状の分離用非接着層が備えられ、
前記分離用非接着層に、その分離用非接着層を覆う状態で、且つ、前記パネル形成体用均熱体が前記パネル形成体に止着される止着力よりも弱い接着力にて貼着される状態で帯状の接着性シートが備えられている床暖房パネル。
【請求項３】
前記パネル形成体用均熱体とは分離された小根太用均熱体、又は、前記パネル形成体用均熱体と脆弱接続部にて接続された小根太用均熱体が、前記小根太の表面に止着される状態で備えられている請求項１又は２記載の床暖房パネル。
【請求項４】
前記小根太の表面が露出する状態にて構成されている請求項１又は２記載の床暖房パネル。
【請求項５】
前記分離用非接着層が、前記パネル形成体用均熱体における小根太隣接部分の表面に前記接着性シートとの間での接着力よりも強い接着力にて貼着される帯状の分離用シートにて構成されている請求項１〜４のいずれか１項に記載の床暖房パネル。
【請求項６】
前記パネル形成体用均熱体とシート状に一連に連なる小根太用均熱体が前記小根太の表面に止着される状態で備えられ、
前記分離用非接着層が、前記パネル形成体用均熱体における小根太隣接部分の表面に前記接着性シートとの間での接着力よりも強い接着力にて貼着される帯状の分離用シートにて構成され、
前記接着性シート又は前記分離用シートが、前記パネル形成体用均熱体よりも剪断強さが大となるように構成されている請求項２記載の床暖房パネル。
【発明の詳細な説明】
【技術分野】
【０００１】
本発明は、加熱用長尺体が装備され且つ表面にシート状のパネル形成体用均熱体が止着されたパネル形成体と小根太とが並設されている床暖房パネルに関する。
【背景技術】
【０００２】
上記床暖房パネルにおいて、従来では、前記パネル形成体に止着されている前記パネル形成体用均熱体の表面側に、その全面にわたって床仕上げ材用接着剤が接着しにくい非接着層を設ける構成としたものがあった。具体的には、パネル形成体用均熱体の表面に酸化防止用の塗料を塗付して酸化防止膜を形成して、その酸化防止膜の表面に非接着性の樹脂を塗付することによって前記非接着層を形成する、又は、離形紙を用いて前記非接着層を形成する構成となっており、床仕上げ材を剥すときに、床仕上げ材が前記非接着層の表面で剥がれるようにしたものがあった（例えば、特許文献１参照。）。
【０００３】
説明を加えると、このような床暖房パネルは、床下地材上に配置して小根太にビスを捩じ込んだり、釘を打ちつけることにより、床下地材上に敷設するものであり、更に、そのように敷設した床暖房パネルの小根太の表面部に接着剤を塗布して、木質材等で形成された床仕上げ材を床暖房パネルの表面に配置することにより、床仕上げ材を接着剤にて小根太に固定した状態で床暖房パネルの表面に敷設する構成となっている。
【０００４】
そして、床仕上げ材に傷がつく等により、床暖房パネルの表面に敷設した床仕上げ材を張り替える場合があるが、パネル形成体用均熱体の表面に床仕上げ材を敷設する構成であれば、床仕上げ材を敷設する際に、小根太の表面部に塗布された接着剤が床仕上げ材により押し広げられて、パネル形成体用均熱体の表面に広がって、床仕上げ材がパネル形成体用均熱体の表面にも接着されることがあると、傷が付く等により張り替える必要がある床仕上げ材等を床暖房パネルから剥がすときに、パネル形成体用均熱体も一緒に剥がれてしまい、そのパネル形成体用均熱体に損傷を与えたり、パネル形成体にも損傷を与える虞がある。
【０００５】
そこで、従来の床暖房パネルでは、床仕上げ材を剥がすときに、パネル形成体用均熱体やパネル形成体に損傷を与えるのを抑制するために、パネル形成体に止着されているパネル形成体用均熱体の表面に全面にわたって接着剤が接着しない非接着層を設けて、床暖房パネルの表面に床仕上げ材を敷設する際に接着剤がパネル形成体用均熱体の表面に広がったとしても、非接着層により接着剤がパネル形成体用均熱体に接着しないようにして、床仕上げ材を剥がすときにパネル形成体用均熱体やパネル形成体用均熱体が損傷するのを抑制するようにしているのである。
【０００６】
【特許文献１】特開２００２−２７６９６８号公報
【発明の開示】
【発明が解決しようとする課題】
【０００７】
しかしながら、上記従来構成の床暖房パネルでは、床仕上げ材を剥がすときに床暖房パネルが損傷するのを抑制するために、パネル形成体用均熱体の表面の全面にわたって非接着層を設けることから、非接着層を設ける範囲が広くなり、高価になるという問題があった。
【０００８】
又、床暖房パネルの表面に床仕上げ材を敷設する際に使用される床仕上げ材用接着剤は、床仕上げ材を敷設する施工業者等が用意することになるが、最近では接着剤の種類が多く多種多様な接着剤が使用されることがあり、接着剤によっては、上記したような非接着層や離形紙における分離用の機能が充分発揮できずに、床仕上げ材を剥すときにパネル形成体用均熱体等を損傷することが考えられる。つまり、床仕上げ材用接着剤の接着力によって接着されている床仕上げ材と非接着層とが分離されずに、その非接着層とそれに止着されているパネル形成体用均熱体とを共に引き剥がしてしまうおそれがあり、パネル形成体用均熱体等を損傷するおそれがあり、この点でも改善の余地があった。
【０００９】
本発明の目的は、低廉化を図ることが可能な構成にて、床仕上げ材を剥がすときの損傷を抑制することが可能となる床暖房パネルを提供する点にある。
【課題を解決するための手段】
【００１０】
本発明に係る床暖房パネルは、加熱用長尺体が装備され且つ表面にシート状のパネル形成体用均熱体が止着されたパネル形成体と小根太とが並設されているものであって、その第１特徴構成は、前記パネル形成体用均熱体における前記小根太に隣接する小根太隣接部分に止着される状態で帯状の分離用非接着層が備えられ、前記小根太とそれに隣接する前記分離用非接着層とからなる小根太対応箇所に、前記小根太及び前記分離用非接着層を覆う状態で、且つ、前記パネル形成体用均熱体が前記パネル形成体に止着される止着力よりも弱い接着力にて前記分離用非接着層に貼着される状態で帯状の接着性シートが備えられている点にある。
【００１１】
第１特徴構成によれば、前記帯状の分離用非接着層が、パネル形成体用均熱体における小根太に隣接する小根太隣接部分に止着される状態で備えられ、しかも、帯状の接着性シートが、小根太とそれに隣接する分離用非接着層とからなる小根太対応箇所に、小根太及び分離用非接着層を覆う状態で設けられるので、床暖房パネルの表面に床仕上げ材を敷設するときに、床仕上げ材用接着剤が小根太の上方箇所を覆う接着性シートの上部に塗付され、その床仕上げ材用接着剤が床仕上げ材を敷設するときに床仕上げ材にて押されて広がることがあっても、床仕上げ材用接着剤は接着性シートの表面に留まり接着性シートの裏面側に影響を与えるおそれがない。
【００１２】
そして、床仕上げ材と接着性シートとは床仕上げ材用接着剤にて強い接着力で接着させることになるが、接着性シートと分離用非接着層とは、パネル形成体用均熱体がパネル形成体に止着される止着力よりも弱い接着力にて貼着されており、しかも、床仕上げ材用接着剤は接着性シートの表面に留まり接着性シートの裏面側に対して影響を与えるおそれがないので、接着性シートと分離用非接着層との間での接着力を弱い状態を維持できることになるのであり、床仕上げ材を床暖房パネルから剥すときには、床仕上げ材に強い接着力で接着されている接着性シートが分離用非接着層から剥がれることになり、床仕上げ材を剥すときにパネル形成体用均熱体が剥がれるのを防止することが可能となる。
【００１３】
前記分離用非接着層を設ける範囲は前記小根太隣接部分に限られ、且つ、前記接着性シートを設ける範囲も前記小根太対応箇所に限られる、つまり、前記分離用非接着層や前記接着性シートを設ける範囲を狭くすることができるので、床仕上げ材を剥すときにパネル形成体用均熱体が損傷するのを抑制するための構成を低廉化を図ることが可能な構成にすることができる。
【００１４】
従って、第１特徴構成によれば、低廉化を図ることが可能な構成にて、床仕上げ材を剥がすときの損傷を抑制することが可能となる床暖房パネルを提供できるに至った。
【００１５】
本発明の第２特徴構成は、加熱用長尺体が装備され且つ表面にシート状のパネル形成体用均熱体が止着されたパネル形成体と小根太とが並設されている床暖房パネルであって、前記パネル形成体用均熱体における前記小根太に隣接する小根太隣接部分に止着される状態で帯状の分離用非接着層が備えられ、前記分離用非接着層に、その分離用非接着層を覆う状態で、且つ、前記パネル形成体用均熱体が前記パネル形成体に止着される止着力よりも弱い接着力にて貼着される状態で帯状の接着性シートが備えられている点にある。
【００１６】
第２特徴構成によれば、前記帯状の分離用非接着層が、パネル形成体用均熱体における小根太に隣接する小根太隣接部分に止着される状態で備えられ、しかも、帯状の接着性シートが、分離用非接着層に、前記分離用非接着層を覆う状態で備えられるので、つまり、小根太の上方箇所には接着性シートは存在しないが、パネル形成体用均熱体における小根太に隣接する小根太隣接部分には帯状の接着性シートが存在することになるので、床暖房パネルの表面に床仕上げ材を敷設するときに、床仕上げ材用の接着剤は小根太の表面部に塗付され、その床仕上げ材用接着剤が床仕上げ材を敷設するときに床仕上げ材にて押されて広がることがあっても、床仕上げ材用接着剤は接着性シートの表面に留まり接着性シートの裏面側に影響を与えるおそれがない。
【００１７】
そして、床仕上げ材と接着性シートとは床仕上げ材用接着剤にて強い接着力で接着させることになるが、接着性シートと分離用非接着層とは、パネル形成体用均熱体がパネル形成体に止着される止着力よりも弱い接着力にて貼着されており、しかも、床仕上げ材用接着剤は接着性シートの表面に留まり接着性シートの裏面側に対して影響を与えるおそれがないので、接着性シートと分離用非接着層との間での接着力を弱い状態を維持できることになるのであり、床仕上げ材を床暖房パネルから剥すときには、床仕上げ材に強い接着力で接着されている接着性シートが分離用非接着層から剥がれることになり、床仕上げ材を剥すときにパネル形成体用均熱体が剥がれるのを防止することが可能となる。
【００１８】
前記分離用非接着層を設ける範囲は前記小根太隣接部分に限られ、且つ、前記接着性シートを設ける範囲も前記小根太対応箇所に限られる、つまり、前記分離用非接着層や前記接着性シートを設ける範囲を狭くすることができるので、床仕上げ材を剥すときにパネル形成体用均熱体が損傷するのを抑制するための構成を低廉化を図ることが可能な構成にすることができる。
【００１９】
従って、第２特徴構成によれば、低廉化を図ることが可能な構成にて、床仕上げ材を剥がすときの損傷を抑制することが可能となる床暖房パネルを提供できるに至った。
【００２０】
本発明の第３特徴構成は、第１特徴構成又は第２特徴構成に加えて、前記パネル形成体用均熱体とは分離された小根太用均熱体、又は、前記パネル形成体用均熱体と脆弱接続部にて接続された小根太用均熱体が、前記小根太の表面に止着される状態で備えられている点にある。
【００２１】
第３特徴構成によれば、床仕上げ材を床暖房パネルから剥がすときに、その床仕上げ材に接着されている接着性シートと一緒に小根太用均熱体が小根太から剥がれたとしても、
小根太の表面に前記パネル形成体用均熱体とは分離された小根太用均熱体が止着されるものでは、その小根太用均熱体はパネル形成体用均熱体から分離されているので、床仕上げ材を剥すときにパネル形成体用均熱体が引き剥がされることがない。又、小根太の表面に前記パネル形成体用均熱体と脆弱接続部にて接続された小根太用均熱体が止着されるものでは、床仕上げ材を剥すときに、脆弱接続部にて引き裂かれてパネル形成体用均熱体から容易に分離することになり、小根太用均熱体と連なってパネル形成体用均熱体が引き剥がされるのを防止することができる。
【００２２】
ちなみに、前記パネル形成体用均熱体や前記小根太用均熱体を止着する際には、前記パネル形成体及び前記小根太を含む床暖房パネルの表面の全面にわたり一連に形成された均熱用シート状体を止着させたのちに、前記パネル形成体用均熱体と前記小根太用均熱体との間に切れ目を形成するか、又は、例えばミシン目や薄肉部等からなる脆弱接続部を形成することにより対応できるが、このように床暖房パネルの表面の全面にわたり一連に形成された均熱用シート状体を止着させたのちに切れ目や脆弱接続部を作成するので、予め切断した複数のシート状体を各別に止着するものに較べて作業が容易に行えるものとなり、作製面からの低廉化も図れるものとなる。
【００２３】
従って、第３特徴構成によれば、床仕上げ材を剥がすときに小根太用均熱体が剥されることがあっても損傷を抑制することが可能であり、又、作製面からの低廉化も図れるものとなる。
【００２４】
本発明の第４特徴構成は、第１特徴構成又は第２特徴構成に加えて、前記小根太の表面が露出する状態にて構成されている点にある。
【００２５】
第４特徴構成によれば、前記小根太の表面が露出する状態にて構成されているから、小根太の上側には、パネル形成体用均熱体に相当するようなシート状の均熱体が存在しないので、床仕上げ材を床暖房パネルから剥がすときに、パネル形成体用均熱体が損傷するおそれがない。
【００２６】
ちなみに、前記パネル形成体用均熱体を止着する際には、前記パネル形成体及び前記小根太を含む床暖房パネルの表面の全面にわたり一連に形成された均熱用シート状体を止着させたのちに、前記パネル形成体と前記小根太との境界に対応する箇所に沿ってシート状均熱体を切断して小根太の表面に対応する領域を除去することで対応できるが、前記パネル形成体だけの表面に対応するように予め形成されている複数のパネル形成体用均熱体を止着させるようにしてもよい。
【００２７】
従って、第４特徴構成によれば、床仕上げ材を剥がすときの床暖房パネルの損傷をより一層抑制することができる。
【００２８】
第５特徴構成は、第１特徴構成〜第４特徴構成のいずれかに加えて、前記分離用非接着層が、前記パネル形成体用均熱体における小根太隣接部分の表面に前記接着性シートとの間での接着力よりも強い接着力にて貼着される帯状の分離用シートにて構成されている点にある。
【００２９】
第５特徴構成によれば、前記分離用非接着層が上記したような帯状の分離用シートにて構成されるから、樹脂剤を塗布するようなものに較べて作製が容易に行えるのであり、作成面からの低廉化を図ることが可能となる。
【００３０】
第６特徴構成は、第２特徴構成に加えて、前記パネル形成体用均熱体とシート状に一連に連なる小根太用均熱体が前記小根太の表面に止着される状態で備えられ、前記分離用非接着層が、前記パネル形成体用均熱体における小根太隣接部分の表面に前記接着性シートとの間での接着力よりも強い接着力にて貼着される帯状の分離用シートにて構成され、前記接着性シート又は前記分離用シートが、前記パネル形成体用均熱体よりも剪断強さが大となるように構成されている点にある。
【００３１】
第６特徴構成によれば、前記小根太の表面部が、前記パネル形成体用均熱体とシート状に一連に連なる小根太用均熱体を前記小根太の表面に止着する状態に構成されているから、加熱用長尺体から発生してパネル形成体用均熱体に伝導する熱を、効率よく小根太用均熱体に伝導させることができ、床暖房パネルの表面の温度のバラツキを抑制することができる。しかも、一連に連なるパネル形成体用均熱体と小根太用均熱体とにより、パネル形成体と小根太とが接続されることになるから、搬送途中で小根太がパネル形体とが分離して小根太が脱落する等の不利がなく、床暖房パネルの搬送作業や敷設作業が行い易いものになる。
【００３２】
又、床仕上げ材と小根太用均熱体とは、床仕上げ材用接着剤にて強い力で接着されていから、床仕上げ材を床暖房パネルから剥がすときに、小根太用均熱体も一緒に剥がれようとするが、前記分離用非接着層を構成する分離用シート、又は、前記小根太の表面部の上方を開放させて前記分離用非接着層の表面部のみを覆う状態で分離用シートに重ねて貼着される接着性シートが、前記均熱用シート状体よりも剪断強さが大となるように構成されているから、小根太用均熱体が前記分離用シート又は接着性シートの端縁にて剪断される状態で剥がれることになり、床仕上げ材に連なってパネル形成体用均熱体が剥がれるのを防止することができる。
【００３３】
従って、第６特徴構成によれば、床暖房時の床面の温度のバラツキを抑制することが可能でありながら、床仕上げ材を剥がすときの損傷を抑制することが可能となる。
【発明を実施するための最良の形態】
【００３４】
〔第１実施形態〕
以下、図面に基づいて、本発明の第１実施形態を説明する。
図１に示すように、床暖房パネルＰＨは、暖房対象の床の略中央に敷き、床暖房パネル用周辺パネル（以下、単に周辺パネルと記載する場合がある）ＰＡは、床暖房パネルＰＨと暖房対象の床を区画する壁等の床区画材（図示省略）との間に敷き込み、それら床暖房パネルＰＨの表面及び周辺パネルＰＡの表面の全面にわたって、木質材等から形成された床仕上げ材１を敷設して、床暖房パネルＰＨの加熱作用により床仕上げ材１を昇温させて、床暖房するように構成してある。
【００３５】
図２に示すように、前記床暖房パネルＰＨは、加熱用長尺体としての熱媒流通管２が装備され且つ表面にシート状のパネル形成体用均熱体３Ｐが貼着されたパネル形成体４に、複数（この実施形態では８本）の小根太５をその小根太５の幅方向に間隔を隔てて並設して構成してある。
【００３６】
前記床暖房パネルＰＨについて説明を加える。
図１及び図２に示すように、前記パネル形成体４は、外形形状が矩形状になるように並べた複数の矩形状のパネル単位体６にて構成してあり、この矩形状のパネル形成体４に、前記複数の小根太５を、その長手方向の一部分に小根太５が存在しない小根太不存在部分７を形成する状態で、前記パネル形成体４の一辺方向に所定のピッチで並設してある。
【００３７】
具体的には、図３及び図４に示すように、パネル形成体４に、小根太５を嵌入するための小根太嵌入部４ｋを、上述の如き複数の小根太５の配置パターンに対応させて、パネル形成体４の厚さ方向に貫通する開口状にて形成してある。そして、前記パネル形成体４の厚さと同じ厚さの小根太５を各小根太嵌入部４ｋに嵌入することにより、パネル形成体４に前記複数の小根太５を並設する構成としてある。
【００３８】
図２に示すように、前記熱媒流通管２は、パネル形成体４の表面側に、前記小根太不存在部分７を通過させる状態で、パネル形成体４の略全面にわたって蛇行状に装備し、その熱媒流通管２の両端部を、パネル形成体４の角部に配設した熱媒給排用のヘッダ８に接続してある。すなわち、図３及び図４に示すように、パネル形成体４の表面側に、図２に示す如き熱媒流通管２の配設パターンに対応させて、熱媒流通管２を収納するための溝部４ｍを形成し、この溝部４ｍに前記熱媒流通管２を収納してある。
【００３９】
そして、前記ヘッダ８を熱媒往き路及び熱媒戻し路（図示省略）にて熱源機（図示省略）に接続して、その熱源機により、熱媒流通管２を通して熱媒を循環させるように構成してある。
【００４０】
図２及び図３に示すように、上述のように熱媒流通管２を装備し且つ複数の小根太５を並設したパネル形成体４の表面の全面にわたって、熱伝導率の高いアルミ箔等のシート状体からなる均熱用シート状体３を貼着する状態で設けてある。この均熱用シート状体３は、アルミ箔等のシート状体の裏面に粘着剤層を備えさせて接着自在な構成となっている。前記均熱用シート状体３における各小根太不存在部分７の上部に対応する部分には、釘打ちを禁止する領域であることを示す釘打ち禁止シール９を貼付してある。
【００４１】
そして、図２、図３及び図４に示すように、前記均熱用シート状体３に、小根太５とパネル形成体４との境界に沿って、その境界の全長にわたるように切れ目３ｓを形成してある。つまり、前記均熱用シート状体３を、前記切れ目３ｓにより、パネル形成体４の表面に貼着された部分と小根太５の表面に貼着された部分とに分離して、前記均熱用シート状体３におけるパネル形成体４の表面に貼着された部分を前記パネル形成体用均熱体３Ｐとし、前記均熱用シート状体３における小根太５の表面に貼着された部分を小根太用均熱体３Ｋとするようにして、小根太５の表面部を、パネル形成体用均熱体３Ｐとは分離された小根太用均熱体３Ｋを小根太５の表面に止着する状態に構成してある。
【００４２】
詳細な説明及び図示を省略するが、前記パネル形成体４は、隣接するパネル単位体６同士を山折り又は谷折り状に折り曲げ自在に接続して、前記パネル形成体４を、複数のパネル単位体６を重ねる状態で、所定の形態に折り畳み可能なように構成してある。
【００４３】
ちなみに、前記パネル形成体４は、熱伝導率が低い発泡ポリスチレン等の発泡樹脂製であり、断熱性を有すると共に軽量化が可能となり、前記熱媒流通管２は、架橋ポリエチレン、ポリブテン等の樹脂製で可撓性を有している。又、前記小根太５は、ビスの螺入が可能な木質材にて構成されている。
【００４４】
そして、前記パネル形成体用均熱体３Ｐにおける前記複数の小根太５の夫々に隣接する複数の小根太隣接部分３Ｐｒに止着される状態で複数の帯状の分離用非接着層１０を備えており、複数の前記小根太５の夫々とそれら夫々に隣接する前記分離用非接着層１０とからなる複数の小根太対応箇所１１の夫々に、前記小根太５及び前記分離用非接着層１０を覆う状態で、且つ、前記パネル形成体用均熱体３Ｐが前記パネル形成体４に止着される止着力よりも弱い接着力にて前記分離用非接着層１０に貼着される状態で帯状の接着性シート１２を備えて構成してある。
【００４５】
具体的な構成について説明すると、図３及び図４に示すように、前記複数の小根太５の夫々に対して、２本の帯状の分離用シート１３を、小根太５の幅方向に振り分けた状態で、且つ、夫々が小根太５の長手方向の略全長にわたって、パネル形成体用均熱体３Ｐの小根太隣接部分３Ｐｒに貼着して設けてある。この分離用シート１３のパネル形成体用均熱体３Ｐに対する接着力は、パネル形成体４とパネル形成体用均熱体３Ｐとの間での接着力と同じ程度に強い接着力にしてある。つまり、前記２本の分離用シート１３により、前記帯状の分離用非接着層１０を構成してある。
【００４６】
ちなみに、この分離用シート１３の粘着層形成面は、粘着剤が存在する粘着剤層と粘着剤が存在しない非粘着層とが交互に設けられるストライプ状に構成され、パネル形成体用均熱体３Ｐの小根太隣接部分３Ｐｒに貼着する際に、分離用シート１３とパネル形成体用均熱体３Ｐとの間に空気溜りが形成されるのを未然に防止するようにしている。この空気溜りは床に設置されたのちに音鳴りの要因となるものである。
【００４７】
前記分離用シート１３は、シリコン樹脂―ＰＥＴ（ポリエチレンテレフタレート）多層体（以下、シリコンＰＥＴという）にて構成してある。このシリコンＰＥＴは、図８に示すように、ＰＥＴにて構成されるシート状本体部１３ａの表面側にシリコン樹脂層１３ｂを備え、裏面側には貼着用の粘着剤層１３ｃを備えて構成される。そして、ＰＥＴやシリコン樹脂等は本来は透明又は半透明であるが、前記分離用シート１３は、例えば、表面のシリコン樹脂層１３ｂに着色剤を含有させて着色する構成となっている。このように着色することで、作業者が張り付け作業を行うときに見易くなって、作業を行い易いものにできる。なお、分離用シート１３の強度を十分に保つことができる場合は、シート状本体部１３ａは設けなくてもよい。
着色剤を含ませるのは、シリコン樹脂層１３ｂに限らず、図８（ロ）に示すように粘着剤層１３ｃに含ませるようにしたり、図８（ハ）に示すようにシート状本体部１３ａに含ませるようにしたり、あるいは、図８（ニ）に示すようにシート状本体部１３ａの裏面に着色印刷層１３ｄを形成する構成としてもよい。
【００４８】
このように、前記分離用非接着層１０を、パネル形成体用均熱体３Ｐにおける小根太隣接部分３Ｐｒの表面に、接着性シート１２との間での接着力よりも強い接着力にて貼着される帯状の分離用シート１３にて構成してある。
【００４９】
そして、この床暖房パネルＰＨには、複数の前記小根太５の夫々とそれら夫々に隣接する前記分離用非接着層１０とからなる複数の小根太対応箇所１１の夫々に、前記小根太５及び前記分離用非接着層１０を覆う状態での接着性シート１２を設けてある。
この帯状の接着性シート１２は、熱伝導率が高く且つ床仕上げ材用接着剤を浸透させないアルミ箔等のシート状体にて構成され、その裏面に粘着剤層を備える構成となっており、粘着剤層を介して２本の分離用シート１３及び小根太用均熱体３Ｋの夫々に貼着させる構成としてある。この接着性シート１２は、その幅方向端縁が２本の分離用シート１３の並び方向外方側の端縁よりも少し幅方向内側に位置するように幅狭に形成され、接着性シート１２を貼着させるときに、パネル形成体用均熱体３Ｐに貼着されることがないように構成している。
【００５０】
前記分離用シート１３の表面はシリコン樹脂層１３ｂにて構成されるから、接着性シート１２と分離用シート１３との間での接着力は、アルミ箔等のシート状体にて構成される前記小根太用均熱体３Ｋとの間での接着力に較べて弱い状態となり、剥し易い状態となるものである。言い換えると、接着性シート１２が分離用シート１３に貼着される接着力は、パネル形成体４に対するパネル形成体用均熱体３Ｐの接着力、及び、後述する床仕上げ材用接着剤１６（図５参照）により床仕上げ材１を接着性シート１２に接着させる接着力よりも弱くしてある。このような特性を有する限り、前記分離用シート１３の表面の材質はシリコン樹脂に限定されない。
【００５１】
つまり、この実施形態では、帯状の接着性シート１２は、パネル形成体用均熱体３Ｐがパネル形成体４に止着される止着力よりも弱い接着力にて分離用非接着層１０に貼着されることになる。
【００５２】
又、床暖房パネルＰＨの裏面側には、図４及び図５に示すように、前記複数の小根太５の夫々に対応させて、前記パネル形成体４の裏面側に、前記小根太５の裏面部及び前記パネル形成体４の前記小根太５に隣接する裏側小根太隣接部分４ｒの夫々にわたる状態で、且つ、前記小根太５の長手方向に延びる状態で保持用テープ１４を止着してある。
【００５３】
この保持用テープ１４は、帯状の市販の不織布テープあるいは養生テープと称されるような合成樹脂を基材にして所定の強度を備える粘着テープ等にて構成され、このような保持用テープ１４を備えることにより、床暖房パネルＰＨを工場から出荷したり搬送するときに、パネル形成体４と分離して小根太５が落下することを防止することができる。
【００５４】
図２、図３及び図５に示すように、前記釘打ち禁止シール９を相似的に拡大した形状の禁止シール覆い用弱接着性テープ１５を、釘打ち禁止シール９上に、その全周からはみ出させる状態で貼着してある。
釘打ち禁止シール９及びパネル形成体用均熱体３Ｐに対する禁止シール覆い用弱接着性テープ１５の接着力は、パネル形成体４に対するパネル形成体用均熱体３Ｐの接着力、及び、後述する床仕上げ材用接着剤１６により床仕上げ材１を禁止シール覆い用弱接着性テープ１５に接着させる接着力よりも弱くしてある。
【００５５】
次に、前記周辺パネルＰＡの構成について簡単に説明する。
周辺パネルＰＡは、前記小根太５の長手方向の側方に配置する長手方向側の周辺パネル本体部３１を備えた小根太長手方向側の周辺パネルＰＡｍと、複数の小根太５の並び方向の側方に配置する並び方向側の周辺パネル本体部３２を備えた小根太並び方向側の周辺パネルＰＡｎとがあり、これらの周辺パネルには、複数の周辺パネル用小根太３３、３６を備えている。
【００５６】
前記各周辺パネル本体部３１，３２の表面に、前記接着性シート１２の幅と同一の幅に形成した接着性帯状体３５，３８を前記床暖房パネルＰＨにおける小根太５の長手方向に沿わせて貼着してある。これらの接着性帯状体３５，３８は、床仕上げ材用接着剤１６を浸透させないアルミ箔等のシート状体の裏面に粘着剤層を備えて構成してあり、周辺パネル用小根太３３，３６及びパネル単位体３４，３７に接着させる接着力を、パネル形成体４に対するパネル形成体用均熱体３Ｐの接着力、及び、床仕上げ材用接着剤１６により床仕上げ材１を接着性帯状体３８に接着させる接着力よりも弱くしてある。
【００５７】
この床暖房パネルＰＨは、図４に示すように、前記分離用シート１３及び前記接着性シート１２を貼着する状態になるまで工場にて加工した状態で施工現場に向けて出荷するようにしてある。そして、床暖房パネルＰＨを暖房対象の床に敷設する場合には、図５に示すように、床下地材１７の表面に接着剤（図示省略）を塗布して、床暖房パネルＰＨを暖房対象の床における所定の位置に敷き、図示はしないがビスを各小根太５における長手方向の適宜箇所において、幅方向の中間部分から床下地材１７に達するように捩じ込んで、床暖房パネルＰＨを接着剤とビスとにより床下地材１７に固定する。又、周辺パネルＰＡも同様に接着剤により、床下地材１７に固定する。
【００５８】
そして、上述のように敷設した床暖房パネルＰＨ及び周辺パネルＰＡの表面に床仕上げ材１を敷設することになるが、そのとき、図５に示すように、前記接着性シート１２の上面における幅方向の中央に対応する箇所に、小根太の長手方向に沿って床仕上げ材用接着剤１６を塗布する。そして、上方に床仕上げ材１を載置して小根太５上の適宜箇所に釘を打ち込み、床暖房パネルＰＨの表面に、床仕上げ材１を釘と床仕上げ材用接着剤１６にて固定する状態で敷設する。図示はしないが、周辺パネルＰＡも同様に、その表面に床仕上げ材１を床仕上げ材用接着剤１６にて固定する状態で敷設する。
【００５９】
そのように、床暖房パネルＰＨの表面に床仕上げ材１を敷設すると、図６に示すように、床仕上げ材用接着剤１６が床仕上げ材１に押し付けられて広がることになるが、前記接着性シート１２の表面に留まり、パネル形成体用均熱体３Ｐとパネル形成体４との間に入り込むことはない。
【００６０】
そして、多数の床仕上げ材１のうちのいずれかのものが傷つく等により張り替える必要があるときは、その床仕上げ材１だけを剥して張り替えることになる。床仕上げ材１を張り替えるときは、先ず、張り替え対象となる床仕上げ材について、その釘打ち箇所を除いて床仕上げ材１の周囲を鋸等によって切断して剥すことになるが、図７に示すように、床仕上げ材１を床暖房パネルＰＨから剥がすと、それと一緒に、その床仕上げ材１に床仕上げ材用接着剤１６にて接着されている接着性シート１２が分離用シート１３から離間して一緒に剥がれる。
【００６１】
このとき、接着性シート１２と小根太用均熱体３Ｋとは強い接着力で貼着されているから、小根太用均熱体３Ｋも一緒に剥がれることがあるが、この小根太用均熱体３Ｋは前記パネル形成体用均熱体３Ｐとは切れ目によって分離されているから、前記パネル形成体用均熱体３Ｐや前記パネル形成体４の損傷を防止することができる。床仕上げ材１を剥すときに、釘打ち禁止シール９を覆っている禁止シール覆い用弱接着性テープ１５も剥がれることになるが、釘打ち禁止シール９が損傷するのを防止することができる。
【００６２】
そして、床仕上げ材１が剥された跡に別の新たな床仕上げ材１を敷設するときには、前記分離用シート１３の上方側に位置させて接着性シート１２を貼着させたのちに床仕上げ材１を貼着させるようにしておくと、再度、その床仕上げ材１を剥すときにも、前記パネル形成体用均熱体３Ｐや前記パネル形成体４の損傷を防止することが可能となる。
【００６３】
〔第２実施形態〕
この実施形態では、前記接着性シート１２の構成及び小根太用均熱体３Ｋの構成が異なる他は、第１実施形態の構成と同じであるから、異なる構成についてのみ説明し、同じ構成については説明は省略する。
【００６４】
この実施形態では、前記パネル形成体用均熱体３Ｐにおける前記複数の小根太５の夫々に隣接する複数の小根太隣接部分３Ｐｒに止着される状態で複数の帯状の分離用非接着層１０が備えられるが、この第２実施形態では、前記複数の分離用非接着層１０の夫々に、前記分離用非接着層１０を覆う状態で、且つ、前記パネル形成体用均熱体が前記パネル形成体に止着される止着力よりも弱い接着力にて貼着される状態で帯状の接着性シート１２が備えられている。
【００６５】
すなわち、図９に示すように、第１実施形態と同様に、２本の帯状の分離用シート１３を、小根太５の幅方向に振り分けた状態で、且つ、夫々が小根太５の長手方向の略全長にわたって、パネル形成体用均熱体３Ｐの小根太隣接部分３Ｐｒに貼着して設けてあり、これらの２本の分離用シート１３により、帯状の分離用非接着層１０を構成してある。そして、これら２本の分離用シート１３の夫々に、それらの分離用シート１３を覆う状態で、且つ、パネル形成体用均熱体３Ｐがパネル形成体４に止着される止着力よりも弱い接着力にて貼着される状態で帯状の一対の接着性シート１２が備えられている。従って、この実施形態では、１本の小根太５に対して２本の接着性シート１２が備えられる構成となっている。
【００６６】
又、この第２実施形態では、図９に示すように、前記パネル形成体用均熱体とシート状に一連に連なる小根太用均熱体３Ｋが前記小根太５の表面に止着される状態で備えられ、前記接着性シート１２又は前記分離用シート１３が、前記パネル形成体用均熱体３Ｐよりも剪断強さが大となるように構成されている。
【００６７】
説明を加えると、第１実施形態における均熱用シート状体３と同じ均熱用シート状体３が床暖房パネルＰＨの全面にわたって貼着される構成となっており、この第２実施形態では、第１実施形態にて記載したような切れ目を入れることなく、前記パネル形成体用均熱体３Ｐと小根太用均熱体３Ｋとがシート状に一連に連なる構成となっている。このように構成することで、加熱用長尺体としての熱媒流通管２から発生してパネル形成体用均熱体３Ｐに伝導する熱を、効率よく小根太用均熱体３Ｋに伝導させることができる。
【００６８】
そして、例えば、厚みを厚くしたり、補強材を含有させるようにしたり、剪断強さが大きい材質を用いること等によって、前記接着性シート１２又は前記分離用シート１３が、前記パネル形成体用均熱体３Ｋよりも剪断強さが大となるように構成している。
【００６９】
このように構成すると、床仕上げ材１は床仕上げ材用接着剤１６にて小根太用均熱体３Ｋに貼着されるので、床仕上げ材１を剥すときに、図１０に示すように、小根太用均熱体３Ｋが一緒に剥がれることになるが、剥がれる部分と剥がれない部分との間での上記したような剪断強さの差異により、均熱用シート状体３に切れ目を入れていなくても、均熱用シート状体３が前記接着性シート１２又は前記分離用シート１３の端縁にて剪断され、前記パネル形成体用均熱体３Ｐと小根太用均熱体３Ｋとを分離させることができる。
【００７０】
〔第３実施形態〕
この実施形態では、小根太の表面の構成が異なる他は、第１実施形態の構成と同じであるから、異なる構成についてのみ説明し、同じ構成については説明は省略する。
【００７１】
この第３実施形態では、前記小根太の表面が露出する状態にて構成されている。つまり、図１１に示すように、小根太５の表面に、第１実施形態における小根太用均熱体３Ｋのような部材が存在せず、小根太５の表面がそのまま露出する構成となっており、小根太５の表面に前記接着性シート１２が貼着される構成となっている。
【００７２】
このように構成すると、床仕上げ材１は床仕上げ材用接着剤１６にて小根太５の表面に直接貼着されるので、床仕上げ材１を剥すときには、小根太５の表面からそのまま剥がれることになる。又、前記パネル形成体用均熱体３Ｐの表面には、分離用シート１３が貼着されており、その分離用シート１３は床仕上げ材１が剥された後も残っているので、床仕上げ材１と一緒に、パネル形成体用均熱体３Ｐが剥されることはない。
【００７３】
〔別実施形態〕
以下、別実施形態を列記する。
【００７４】
（１）上記第１実施形態では、前記複数の小根太対応箇所の夫々に、前記小根太及び前記分離用非接着層を覆う状態で帯状の接着性シートが備えられる構成の床暖房パネルにおいて、前記パネル形成体用均熱体とは分離された小根太用均熱体が小根太の表面に止着される状態で備える構成としたが、このような構成に代えて、前記パネル形成体用均熱体と分離用の脆弱接続部にて接続された状態で小根太用均熱体を設ける構成としてもよい。
【００７５】
つまり、図１３に示すように、小根太５の表面部を、小根太用均熱体３Ｋを小根太５の表面に止着する状態に構成し、小根太用均熱体３Ｋとパネル形成体用均熱体３Ｐとを、ミシン目に形成された分離用の脆弱接続部３Ｃにて接続しても良い。このようなミシン目を作成する方法としては、図１４に示すような放射状の多数の突起２０を形成した円盤状回転体２１を備えたミシン目作成装置２２を用いて行うようにするとよい。このようなミシン目作成装置２２を用いると、図１５に示すように、円盤状回転体２１にて前記均熱用シート状体３に対してその厚み方向に押し込むことで孔をあけるので、均熱用シート状体３の裏面側に備えられる粘着層ｎの粘着材が突起２０に付着堆積するおそれがなく、良好な加工状態を維持できることになる。
【００７６】
前記分離用の脆弱接続部としては、図示は省略するが、他の部分よりも厚さの薄い薄肉部にて構成することができる。
【００７７】
又、前記複数の小根太対応箇所の夫々に、前記小根太及び前記分離用非接着層を覆う状態で帯状の接着性シートが備えられる構成の床暖房パネルにおいて、前記小根太の表面が露出する状態にて構成されるものであってもよい。
【００７８】
（２）上記第２実施形態では、前記複数の分離用非接着層の夫々に帯状の接着性シートが備えられている床暖房パネルにおいて、前記パネル形成体用均熱体と小根太用均熱体とがシート状に一連に連なる構成としたが、このような構成に代えて、前記複数の分離用非接着層の夫々に帯状の接着性シートが備えられている床暖房パネルにおいて、前記パネル形成体用均熱体とは分離された小根太用均熱体、又は、前記パネル形成体用均熱体と脆弱接続部にて接続された小根太用均熱体が、前記小根太の表面に止着される状態で備えられる構成としてもよく、又、前記小根太の表面が露出する状態にて構成されるものであってもよい。
【００７９】
（３）上記各実施形態では、前記接着性シートを、アルミ箔等のシート状体の裏面に接着剤層を備えさせて形成するようにしたが、樹脂製のシート状体の裏面に接着剤層を備えさせることにより形成しても良い。
【００８０】
（４）上記各実施形態では、前記分離用非接着層を構成する帯状の分離用シートが、シリコンＰＥＴにて構成されるものを例示したが、これ以外に、例えば、ポリエチレン、ポリプロピレン、フッ素樹脂等からなるシート状体を用いることができる。又、このような分離用シートにて形成するものに限らず、前記分離用非接着層としては、前記パネル形成体用均熱体の表面に非接着性の樹脂剤を塗布することにより分離用非接着層を形成するものでもよい。
【００８１】
（５）上記各実施形態では、複数の小根太を、その長手方向の一部分に小根太が存在しない小根太不存在部分を形成する状態で、その小根太の幅方向の間隔を隔てて並設する場合について例示したが、複数の小根太をその長手方向の一部分に前述のような小根太不存在部分を形成することなく、その小根太の幅方向の間隔を隔てて並設してもよい。
【００８２】
（４）上記実施形態では、前記加熱用長尺体として熱媒を通流させる熱媒流通管を用いる構成としたが、電気ヒータ等を用いてもよい。
【図面の簡単な説明】
【００８３】
【図１】第１実施形態に係る床暖房パネル及び床暖房パネル用周辺パネルの敷設状態を示す一部切り欠き平面図
【図２】第１実施形態に係る床暖房パネルの一部切り欠き全体平面図
【図３】第１実施形態に係る床暖房パネルの要部の一部切り欠き斜視図
【図４】図３におけるイ−イ矢視図
【図５】第１実施形態に係る床暖房パネルの敷設作業を説明する要部の縦断面図
【図６】第１実施形態に係る床暖房パネルの敷設作業を説明する要部の縦断面図
【図７】第１実施形態に係る床仕上げ材の更新作業を説明する要部の縦断面図
【図８】第１実施形態に係る分離用シートの着色状態を示す縦断面図
【図９】第２実施形態に係る床暖房パネルの敷設作業を説明する要部の縦断面図
【図１０】第２実施形態に係る床仕上げ材の更新作業を説明する要部の縦断面図
【図１１】第３実施形態に係る床仕上げ材の更新作業を説明する要部の縦断面図
【図１２】第３実施形態に係る床暖房パネルの敷設作業を説明する要部の縦断面図
【図１３】別実施形態に係る床暖房パネルの要部の一部切り欠き斜視図
【図１４】別実施形態に係るミシン目作成装置を示す図
【図１５】別実施形態に係るミシン目の作成作業の説明する要部の縦断面図
【符号の説明】
【００８４】
２      加熱用長尺体
３Ｋ    小根太用均熱体
３Ｐ    パネル形成体用均熱体
３Ｐｒ  小根太隣接部分
４      パネル形成体
５      小根太
１０    分離用非接着層
１１    小根太対応箇所
１２    接着性シート
【図１】
2008175491.tif 000003
【図２】
2008175491.tif 000004
【図３】
2008175491.tif 000005
【図４】
2008175491.tif 000006
【図５】
2008175491.tif 000007
【図６】
2008175491.tif 000008
【図７】
2008175491.tif 000009
【図８】
2008175491.tif 000010
【図９】
2008175491.tif 000011
【図１０】
2008175491.tif 000012
【図１１】
2008175491.tif 000013
【図１２】
2008175491.tif 000014
【図１３】
2008175491.tif 000015
【図１４】
2008175491.tif 000016
【図１５】
2008175491.tif 000017